(57)【要約】【課題】  収納および取り出しが容易なシリコーンゴム成形体からなるカバーを提供する。【解決手段】  シリコーンゴム成形体からなるカバーにおいて、カバーに収納する機器とカバー内面の接触部の少なくとも一部に、基材のシリコーンゴム成形体よりも滑り性が大きな易滑り部が形成されているデジタルカメラ等の携帯機器に有用なシリコーンゴム成形体からなるカバー。【選択図】  図１
2007014550.tif 000002
【特許請求の範囲】
【請求項１】
シリコーンゴム成形体からなるカバーにおいて、カバーに収納する機器とカバー内面の接触部の少なくとも一部に、基材のシリコーンゴム成形体よりも滑り性が大きな易滑り部が形成されていることを特徴とするシリコーンゴム成形体からなるカバー。
【請求項２】
易滑り部がシリコーンゴム成形体よりも滑り性が大きな塗料の塗布膜によって形成されたことを特徴とする請求項１記載のシリコーンゴム成形体。
【発明の詳細な説明】
【技術分野】
【０００１】
本発明は、携帯機器用カバーに関するものであり、デジタルカメラ等の携帯機器用のシリコーンゴム成形体からなるカバーに関する。
【背景技術】
【０００２】
デジタルカメラ等の携帯機器は、小型、軽量化、薄型化が進んでおり、これらの機器を他の部材との接触、あるいは落下持の衝撃から保護するために、皮革、布、合成樹脂、ゴム等からなる各種のカバーが用いられている。
なかでもシリコーンゴム成形体からなるカバーは、滑り性が小さく、耐衝撃性も良好であって、携帯機器の大きさに適合した内部寸法を有するカバーを装着した場合には、機器の操作性も良好なものとすることが可能である。
シリコーンゴム成形体からなるカバーは、ハードディスク内蔵の携帯型音響機器のカバー等に用いられており、携帯電話のカバーとすることも提案されている（例えば特許文献１）。
【０００３】
携帯機器用のシリコーンゴム成形体のカバーとしては、袋状あるいは封筒状と称される一端に開口部を有した角型のカバーが知られており、開口部の大きさを機器の最も小さな断面と同等の大きさとしたものが一般的である。
【０００４】
図２は、従来のシリコーンゴム成形体のカバーの一例を説明する図である。
シリコーンゴム成形体のカバー１は、封筒状の形状を有しており、開口部１１から機器１２を矢印方向へ挿入して収納するものである。シリコーンゴム成形体のカバー１には、機器１２の表示部１３に合致した窓部１４が設けられており、またシリコーンゴム成形体のカバー１に収納した状態で操作可能なように操作部用の薄肉部６が形成されている。
【０００５】
シリコーンゴム成形体は、滑りにくいという特性を有しているために、カバーの大きさを収納機器の大きさに合わせた大きさとした場合には、カバーの一端に開口部が設けられている場合でも収納した機器１２が落下する可能性は小さいという特性を有している。これは、シリコーンゴム成形体のカバーの特有な特性であるものの、滑りにくいために機器をカバー内部に収納する場合には手数を要している。特に、収納する場合に比べて取り出しの場合には、より手間がかかるという問題点があった。
【０００６】
シリコーンゴム成形体からなるカバーは、機器を収納した状態で操作が可能となるように必要最低限の開口部を設けたり、また機器操作用のスイッチに対応した部分に薄肉部が設けられているために、機器の操作には支障がないが、機器に装着した電池あるいはメモリー等の交換や取り出しを行う場合、あるいはクレイドルに装着して内蔵電池の充電、パソコン等の外部機器との間で信号のやり取りを行う場合には、カバーから取り出すことが不可欠であった。
【０００７】
機器の大きさに比べてシリコーンゴム製のカバーの内寸法を大きくし、装着、あるいは取り外しを容易にする方法も考えられるが、内寸が大きくなるとカバー内部で機器が動き、甚だしい場合には機器がカバーから抜け落ちるという問題があった。一方、クレイドルに装着する機器ではクレイドルに装着する度にカバーを取り外す必要があるためにシリコーンゴム成形体からなるカバーを使用することは不適当なものと考えられていた。
【特許文献１】実用新案登録第３０４００６３号公報
【発明の開示】
【発明が解決しようとする課題】
【０００８】
本発明は、携帯機器に装着するシリコーンゴム成形体からなるカバーにおいて、機器の外寸法と同等の内寸法を有し、携帯機器に装着した場合には内部で動揺することなく、しかも携帯機器への装着および取り外しが容易なシリコーンゴム成形体からなるカバーを提供することを課題とするものである。
【課題を解決するための手段】
【０００９】
本発明の課題は、シリコーンゴム成形体からなるカバーにおいて、カバーに収納する機器とカバー内面の接触部の少なくとも一部に、基材のシリコーンゴム成形体よりも滑り性が大きな易滑り部が形成されているシリコーンゴム成形体からなるカバーである。
易滑り部がシリコーンゴム成形体よりも滑り性が大きな塗料の塗布膜によって形成された前記のシリコーンゴム成形体からなるカバーである。
カバーは、収納する機器の機能を発揮する際に突出する部分、光線の通路、あるいは画像表示部となる部分にのそれぞれに対応した開口部が設けられた前記のシリコーンゴム成形体からなるカバーである。
画像表示部が最も面積が大きな開口部である前記のシリコーンゴム成形体からなるカバーである。
デジタルカメラ用のカバーである前記のシリコーンゴム成形体からなるカバーである。
【発明の効果】
【００１０】
本発明は、シリコーンゴム成形体からなるカバー内面に易滑り部を塗料の被膜等によって形成したので、シリコーンゴム成形体からなるカバー内部への機器の収納、取り出しが容易なカバーを提供することができる。
【発明を実施するための最良の形態】
【００１１】
本発明は、デジタルカメラ等の携帯機器用のシリコーンゴム成形体からなるカバーとして、その装着、取り外しが容易で、しかもカバーを装着した状態での操作が容易で保持性が良好なカバーを提供するものである。
本発明のシリコーンゴム成形体からなるカバーは、その内面の少なくとも一部には、シリコーンゴム成形体の基体面よりも摩擦係数が小さな被膜が形成されていることを特徴としている。
【００１２】
本発明は、開口部を有するカバーに対して意匠性を高めるために表面塗装によって着色した際に、吹き付けた塗料が開口部から、シリコーンゴム成形体からなるカバー内部へ入り込み、内面に部分的に被膜が生じたものにあっては、携帯機器の収納、および取り出しが円滑なものとなることを見出したものである。
【００１３】
シリコーンゴム成形体のカバーの内面に付着した塗布膜によって塗布前に比べてシリコーンゴム成形体のカバー内部への携帯機器の収納、および取り出しが円滑となる理由は、塗布膜の表面の物性によるものであって、特にシリコーンゴム成形体のカバー内面に摩擦係数が小さな部分が生じたために、携帯機器の収納、および取り出しが円滑なものとなるものと考えられる。
【００１４】
以下に、図面を参照して本発明を説明する。
図１は、本発明のシリコーンゴム成形体のカバーを説明する斜視図であり、図１（Ａ）は、デジタルカメラ用のカバーの正面のレンズ側からみた斜視図であり、図１（Ｂ）は、レンズ側とは反対面の表示部側から見た斜視図である。
シリコーンゴム成形体のカバー１は一体成形されており、デジタルカメラの撮影レンズ用開口部２、ファインダーレンズ開口部３、およびストロボ用開口部４を有している。
【００１５】
また、上部にはシャッターボタン部５が設けられており、シャッターボタン部５は、焦点、あるいは露光調整手段の設定状態を保持するシャッターボタンの半押し状態を可能とするように薄肉部６が形成されており、背面には、表示部用開口部７が設けられている。
【００１６】
図１（Ｂ）は、背面の表示部側から見た斜視図である。
シリコーンゴム成形体のカバー１には、背面に液晶表示装置の大きさに合致した表示部用開口部７、およびファインダー用開口部８が設けられており、背面には、デジタルカメラの機能設定等に使用する各種の操作用ボタン部９が設けられており、いずれの操作用ボタン部にも薄肉部が形成されて円滑なボタン操作が可能とされている。
シリコーンゴム成形体のカバー１の内部には、外面に着色するために噴霧した塗料によって形成された被膜によって、基材のシリコーンゴム成形体に比べて摩擦係数が小さな易滑り部１０が形成されており、デジタルカメラの収納および取り出しが容易とされている。
【００１７】
また、この例に示したシリコーンゴム成形体のカバー１は、内面に易滑り部が形成されているので、デジタルカメラの収納および取り出しが容易であるとともに、表示部用開口部７、撮影レンズ用開口部２の順に面積が大きな開口部を有し、収納および取り出し用の専用の開口部を有していないことを特徴としている。
【００１８】
本発明では、面積が最大の開口部である表示部用開口部７をシリコーンゴム成形体の伸びを利用して押し広げることによってデジタルカメラの収納および取り出しが可能であって、収納あるいは取り出し用の開口部がなく、必要最小限の開口部で構成されたデジタルカメラの保護効果が大きなカバーを提供することができる。
このような効果は本発明のシリコーンゴム成形体のカバーがその内面に易滑り部を有したことにより、装着、および取り出しが円滑に可能となって実現したものである。
【００１９】
本発明のシリコーンゴム成形体のカバーの製造方法の一例を説明する。
シリコーンゴムの生ゴム、顔料、硬化剤等の成分を配合して混練した後に、内部型と外部型からなる成形型に射出して所定の温度に保持した後に、成形型から取り出すことによって成形することができる。
【００２０】
次いで、成形したシリコーンゴム成形体の内部および表面を清浄処理して乾燥した後に、下塗り塗料を噴霧し、さらに下塗り塗料の噴霧の後には、表面塗装用の塗料を噴霧することによって、表面の意匠性を高めたシリコーンゴム成形体のカバーを作製することができる。
塗料を噴霧した場合には、格別の塗布方法を行わなくとも、開口部から内面へと付着するが、内面の塗布量を高める場合には、開口部から積極的な噴射を行っても良い。
【００２１】
内面への塗料の塗布量、塗布面積を、収納する機器の表面特性、塗料の特性等によって調整することによって機器の滑り性を調整することができる。
塗料による塗布の後には、加熱処理を行って塗料の焼付け処理を行うことによって、耐候性、耐食性等が優れた塗膜を得ることができる。
また、塗料による被膜の形成は、塗料の噴霧による方法に限らず、塗料中に浸漬する方法等によって行っても良い。
【００２２】
本発明のシリコーンゴム成形体に塗布する塗料には、シリコーンポリエステル樹脂塗料を用いることが好ましく、シリコーンポリエステル樹脂塗料は、基材のシリコーンゴム成形体との親和性も良好で特性の優れた塗膜を形成することができる。
【実施例１】
【００２３】
以下に実施例を示し、本発明を説明する。
外形の大きさが幅９２ｍｍ、高さ５７ｍｍ、奥行き２１ｍｍであって、肉厚１．６ｍｍ、撮影レンズ用開口部の直径４１ｍｍ、表示部用開口部が縦３５ｍｍ、横４６ｍｍのシリコーンゴム成形体を、内金型と外金型を用いた射出成形によって作製した。
次いで、シリコーンゴム成形体の表面を洗浄して清浄化し、乾燥の後にスプレーによってシリコーンポリエステル樹脂塗料の下塗り、上塗りを行い、焼付処理した。
いずれの試料についても開口部から内部へ達した塗料によって内部のほぼ全面に塗膜が形成された。
特性が異なる塗料の塗布によって複数個のシリコーンゴム成形体を着色し、１５ｍｍ×３０ｍｍの大きさの測定試料を切り取るとともに、塗料による塗布膜を形成していない試料からも同様の測定試料を切り取って摩擦係数の測定を行った。
【００２４】
摩擦係数の測定は、ＪＩＳ  Ｋ７１２５−１９８７に規定する「プラスチックフィルム及びシートの摩擦係数試験方法」によって、表面性状測定機（新東科学製  ヘイドン−１４ＤＲ型）によって、摩擦荷重：１．９６Ｎ、摩擦速度：１００ｍｍ／ｍｉｎ、相手摩擦面：アルミニウム、温度：２５℃、湿度：５５％ＲＨの条件で動摩擦係数を測定し、その結果を以下に示す。
【００２５】
試料番号      塗料色      摩擦係数（外面）    摩擦係数（内面）  
１          黒            ０．２５            ０．３８
２          橙            ０．２８            ０．５９
３          黒            ０．３０            ０．４７
４          橙            ０．３３            ０．２８
５       半透明白         ０．２５            ０．４０      
６       未塗装品         ０．６３            １．３０
７       未塗装品         ０．６５            １．２８
【産業上の利用可能性】
【００２６】
本発明のシリコーンゴム成形体のカバーは、内面に易滑り部を形成したので、シリコーンゴム成形体の内部への機器の収納、取り出しが容易なカバーを提供することができ、内蔵する機器の動作に必要な画像表示部等の開口部を設けた場合には、画像表示部等の面積が大きな開口部を押し広げて機器の収納、取り出しが可能であるので、機器の収納あるいは取り出しのために専用の開口部を設ける必要はなく、耐衝撃性等の保護効果が大きなシリコーンゴム成形体からなるカバーを提供することができる。
【図面の簡単な説明】
【００２７】
【図１】図１は、本発明のシリコーンゴム成形体製のカバーを説明する図である。
【図２】図２は、従来のシリコーンゴム成形体製のカバーの一例を説明する図である。
【符号の説明】
【００２８】
１…シリコーンゴム成形体のカバー、２…撮影レンズ用開口部、３…ファインダーレンズ開口部、４…ストロボ用開口部、５…シャッターボタン部、６…薄肉部、７…表示部用開口部、８…ファインダ用開口部、９…操作用ボタン部、１０…易滑り部、１１…開口部、１２…機器、１３…表示窓、１４…窓部
【図１】
2007014550.tif 000003
【図２】
2007014550.tif 000004